(57)【要約】【課題】物品とボルトとを容易に分離可能な物品の固定構造を提供する。【解決手段】物品の固定構造１はロアカバー２と該ロアカバー２をパネルに取り付けるためのボルト７とを備えている。ボルト７は外周面に第１のねじ山１０が形成された第１のねじ部８と該第１のねじ部８に連なりかつ外周面に軸芯Ｐに対する傾きＲｂが第１のねじ山１０とは逆向きの第２のねじ山１１が形成された第２のねじ部９とを備えている。第２のねじ部９の先端部９ａが露出した格好で第１のねじ部８の一部がロアカバー２の底壁５に埋設されている。【選択図】図３
2007189804.tif 000002
【特許請求の範囲】
【請求項１】
第１の物品と、該第１の物品を第２の物品に取り付けるためのボルトとを備えた物品の固定構造において、
前記ボルトは、外周面に第１のねじ山が形成された第１のねじ部と、該第１のねじ部に連なりかつ外周面に軸芯に対する傾きが前記第１のねじ山とは逆向きの第２のねじ山が形成された第２のねじ部と、を備え、前記第２のねじ部の少なくとも先端部が露出した格好で、少なくとも前記第１のねじ部の一部が前記第１の物品内に埋設されたことを特徴とする物品の固定構造。
【請求項２】
前記第２のねじ部の前記第１のねじ部寄りの基端部が、前記第１の物品に埋設されたことを特徴とする請求項１記載の物品の固定構造。
【請求項３】
前記第１のねじ部の外径より前記第２のねじ部の外径が小さいことを特徴とする請求項２記載の物品の固定構造。
【発明の詳細な説明】
【技術分野】
【０００１】
本発明は、例えば、電気接続箱のロアカバーなどの第１の物品を自動車のパネルなどの第２の物品に固定するために用いられる物品の固定構造に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、バスバーなどを有することもあることから、ヒューズブロック、リレーボックス、又は総称して電気接続箱とも呼ばれる。本明細書では、前述したヒューズブロック、リレーボックス、ジャンクションブロックを、総称して以下、電気接続箱と呼ぶ。
【０００５】
前述した電気接続箱は、外郭を形成する箱本体と、配線盤と、箱本体に取り付けられる蓋体などを備えている。箱本体には、ヒューズ、リレーなどの電気部品が装着されるとともに、バスバーなどからなる前述した配線盤が収納されている。前述した電気接続箱は、第１の物品としての箱本体に埋設されたボルトなどによって、第２の物品としての自動車のパネルに取り付けられる。前述した電気接続箱の固定構造は、前述したボルトをパネルに設けられた孔内に通して、該ボルトにナットを螺合して、該箱本体即ち電気接続箱をパネルに固定する。
【発明の開示】
【発明が解決しようとする課題】
【０００６】
しかしながら、前述した電気接続箱即ち物品の固定構造は、ボルトを箱本体に埋設しているので、該電気接続箱の解体時に、前記箱本体と前記ボルトとを分離しにくかった。
【０００７】
したがって、本発明の目的は、物品とボルトとを容易に分離可能な物品の固定構造を提供することにある。
【課題を解決するための手段】
【０００８】
前記課題を解決し目的を達成するために、請求項１に記載の本発明の物品の固定構造は、第１の物品と、該第１の物品を第２の物品に取り付けるためのボルトとを備えた物品の固定構造において、前記ボルトは、外周面に第１のねじ山が形成された第１のねじ部と、該第１のねじ部に連なりかつ外周面に軸芯に対する傾きが前記第１のねじ山とは逆向きの第２のねじ山が形成された第２のねじ部と、を備え、前記第２のねじ部の少なくとも先端部が露出した格好で、少なくとも前記第１のねじ部の一部が前記第１の物品内に埋設されたことを特徴としている。
【０００９】
請求項２に記載の本発明の物品の固定構造は、請求項１記載の物品の固定構造において、前記第２のねじ部の前記第１のねじ部寄りの基端部が、前記第１の物品に埋設されたことを特徴としている。
【００１０】
請求項３に記載の本発明の物品の固定構造は、請求項２記載の物品の固定構造において、前記第１のねじ部の外径より前記第２のねじ部の外径が小さいことを特徴としている。
【００１１】
前記物品の固定構造は、前記第１のねじ部と前記第２のねじ部とが、互いに同軸に配置されているのが望ましい。
【００１２】
請求項１に記載した本発明の物品の固定構造によれば、第１のねじ部の第１のねじ山と第２のねじ部の第２のねじ山とが、軸芯に対して互いに逆向きに傾いているので、第２のねじ部にナットなどを完全に締めた後に、該ナットなどを更に締める方向に回転すると、このナットとともにボルト全体が回転しようとする。すると、第１のねじ山によって、第１のねじ部が第１の物品内から抜け出ようとする。
【００１３】
なお、本発明でいう第１のねじ部の第１のねじ山と第２のねじ部の第２のねじ山とが、軸芯に対して互いに逆向きであるとは、ボルトを軸芯回りに回転した際に、第１のねじ部と第２のねじ部とのうち一方にナットが締め付けられるとともに、他方からナットが抜け出ようとする向きであることを示している。即ち、第１のねじ部の第１のねじ山と第２のねじ部の第２のねじ山とが、軸芯に対して互いに逆向きであるとは、第１のねじ部と第２のねじ部とのうち一方が逆ねじ（左ねじ）であり、他方が通常のねじ（右ねじ）であることを示している。
【００１４】
請求項２に記載した本発明の物品の固定構造によれば、第２のねじ部の第１のねじ部寄りの基端部も第１の物品内に埋設されているので、第２のねじ部に螺合したナットなどが締め付けられる方向にボルトが回転しようとしても、第１のねじ部が第１の物品内で回転しにくくなっている。
【００１５】
請求項３に記載した本発明の物品の固定構造によれば、第１のねじ部の外径より第２のねじ部の外径が小さいので、第２のねじ部に螺合したナットと第１のねじ部との間に第１の物品の一部が挟まれることとなる。
【００１６】
第１のねじ部と第２のねじ部とが同軸であると、第１のねじ部と第２のねじ部とが確実に一体的に回転する。
【発明の効果】
【００１７】
以上説明したように請求項１に記載の本発明は、第２のねじ部にナットなどを完全に締めた後に該ナットなどを更に締める方向に回転すると、このナットとともに第１のねじ山によって第１のねじ部が第１の物品内から抜け出ようとする方向に回転する。このように、第２のねじ部にナットを締めて、更に該ナットを締め付ける方向に回転することで、第１のねじ部の第１のねじ山がボルトを第１の物品外に押し出そうとする。したがって、第２のねじ部にナットなどを完全に締めた後に該ナットなどを更に締める方向に回転することで、容易に第１の物品からボルトを分離することができる。
【００１８】
請求項２に記載の本発明は、第２のねじ部の第１のねじ部寄りの基端部も第１の物品内に埋設されているので、第１のねじ部が第１の物品内で回転しにくくなっているので、ボルトが第１の物品から不意に分離することを防止できる。
【００１９】
請求項３に記載の本発明は、第２のねじ部に螺合したナットと第１のねじ部との間に第１の物品の一部が挟まれるので、第２のねじ部にナットなどを完全に締め付けた後に該ナットを不意に締め付ける方向に回転しても、ボルトが不意に回転することを防止して、該ボルトが第１の物品から不意に分離することを確実に防止できる。
【００２０】
第１のねじ部と第２のねじ部とが同軸であるとこれらが確実に一体的に回転するので、第２のねじ部にナットなどを完全に締めた後に該ナットなどを更に締める方向に回転することで、ボルトを第１の物品から確実に分離することができる。
【発明を実施するための最良の形態】
【００２１】
以下、本発明の第１の実施形態に係る物品の固定構造（以下、単に、固定構造と記す）を、図１ないし図５に基づいて説明する。
【００２２】
固定構造１は、図１に示すように、第１の物品としてのロアカバー２を、第２の物品としてのパネル３に固定するために構造である。パネル３は、自動車の車体などを構成する。パネル３は、板金などで構成されている。パネル３には、後述するボルト７の第２のねじ部９を通すための孔４が貫通している。
【００２３】
ロアカバー２は、図示例では、自動車などに搭載される電気接続箱を構成する。電気接続箱は、箱本体と、この箱本体内に収納された内部回路としての配線盤と、アッパカバーと、前述したロアカバー２とを備えている。
【００２４】
箱本体は、絶縁性の合成樹脂で構成され、例えば、上面にリレーやヒューズなどの電気部品が装着され、下面にワイヤハーネスのコネクタが装着される。配線盤は、箱本体内に収容されている。配線盤は、バスバと、絶縁板とを備えている。バスバは、導電性の板金に打ち抜き加工などのプレス加工が施されて得られる。複数のバスバは、互いに重ねられている。絶縁板は、互いに重ねられたバスバ間に配されている。絶縁板は、バスバ同士が意図しない箇所で相互に電気的に接続すること、即ち短絡することを防止するとともに、バスバを位置決めしている。配線盤は、箱本体内に収容されて、前述したバスバがリレーやヒューズなどの電気部品とワイヤハーネスのコネクタの各電線とを予め定められたパターン通りに互いに電気的に接続する。
【００２５】
アッパカバーは、絶縁性の合成樹脂で構成されている。アッパカバーは、箱本体に取り付けられて、該箱本体とともにリレーやヒューズなどの電気部品を覆う。ロアカバー２は、絶縁性の合成樹脂で構成されており、周知の射出成形などによって得られる。ロアカバー２は、図１に示すように、前述したパネル３に重ねられる底壁５と、該底壁５の外縁から立設した複数の周壁６とを備えて、箱状に形成されている。ロアカバー２は、箱本体に取り付けられて、該箱本体とともにワイヤハーネスのコネクタを覆う。
【００２６】
固定構造１は、図１に示すように、前述したロアカバー２と、ボルト７とを備えている。ボルト７は、鉄などの金属で構成されている。ボルト７は、図２に示すように、互いに同軸に配置された第１のねじ部８と、第２のねじ部９とを備えている。ねじ部８，９は、それぞれ円柱状に形成されている。
【００２７】
第１のねじ部８は、図３に示すように、外周面に第１のねじ山１０が形成されている。第２のねじ部９は、第１のねじ部８に連なっている。第２のねじ部９は、図３に示すように、外周面に第２のねじ山１１が形成されている。第２のねじ部９の外径は、第１のねじ部８の外径より小さい。ボルト７は、図３に示すように、第１のねじ部８の第２のねじ部９寄りの端部を露出させた格好で、該第１のねじ部８の一部がロアカバー２の底壁５内に埋設されている。即ち、ボルト７は、第２のねじ部９の第１のねじ部８から離れた側の先端部９ａを露出した格好で、少なくとも第１のねじ部８の一部がロアカバー２の底壁５内に埋設されている。図示例では、ボルト７は、インサート成形などによって、ロアカバー２が成形される際に、該ロアカバー２の底壁５内に前述した第１のねじ部８が埋設される。
【００２８】
第１のねじ山１０と第２のねじ山１１のねじ部８，９の軸芯Ｐに対する傾きＲａ，Ｒｂは、互いに逆向きである。第１のねじ山１０と第２のねじ山１１のねじ部８，９の軸芯Ｐに対する傾きＲａ，Ｒｂとは、軸芯Ｐに沿った断面において、該軸芯Ｐとねじ山１０，１１とのなす角度Ａａ，Ａｂが鋭角になるように、前述した軸芯Ｐから各ねじ山１０，１１に向かう方向を示している。
【００２９】
このように、本発明でいう第１のねじ部８の第１のねじ山１０と第２のねじ部９の第２のねじ山１１とが、軸芯Ｐに対して互いに逆向きであるとは、ボルト７を軸芯Ｐ回りに回転した際に、第１のねじ部８と第２のねじ部９とのうち一方にナットが締め付けられるとともに、他方からナットが抜け出ようとする向きであることを示している。即ち、第１のねじ部８の第１のねじ山１０と第２のねじ部９の第２のねじ山１１とが、軸芯Ｐに対して互いに逆向きであるとは、第１のねじ部８と第２のねじ部９とのうち一方が逆ねじ（左ねじ）であり、他方が通常のねじ（右ねじ）であることを示している。前述した構成のボルト７は、第２のねじ部９がパネル３に設けられた孔４内に通されて、該第２のねじ部９にナット１２などをねじ込んで、ロアカバー２をパネル３に固定するためのものである。
【００３０】
前述した構成の固定構造１は、以下のように、ロアカバー２即ち電気接続箱をパネル３に固定する。まず、箱本体に前述したリレーなどの電気部品とワイヤハーネスのコネクタとを装着して、該箱本体にアッパカバーとロアカバー２とを取り付けて、電気接続箱を組み立てる。そして、ボルト７の第２のねじ部９を孔４内に通して、ロアカバー２即ち電気接続箱をパネル３に重ねる。
【００３１】
そして、ボルト７の第２のねじ部９にナット１２を螺合させる。このナット１２を締め付けて、該ナット１２と第１のねじ部８との間にパネル３を挟み込んで、ロアカバー２即ち電気接続箱をパネル３に固定する。
【００３２】
前述した電気接続箱を破棄する際などには、以下のように、ロアカバー２とボルト７とを分離する。まず、ナット１２を緩めるなどして、ロアカバー２即ち電気接続箱をパネル３から取り外す。そして、アッパカバーとロアカバー２を箱本体から取り外すなどして、電気接続箱を解体する。
【００３３】
その後、図４に示すように、ボルト７の第２のねじ部９にナット１２を螺合させる。そして、さらに、図４に示すように、ナット１２を第２のねじ部９に締め付ける方向Ｒ（図４中に軸芯Ｐ回りの矢印で示し、ナット１２が第１のねじ部８即ち底壁５に近づく方向）に、更に回転させる。すると、該ナット１２が第１のねじ部８に密着して、該ナット１２が軸芯Ｐに沿って更に移動できないため、該ナット１２とともにボルト７が回転しようとする。すると、勿論、第１のねじ部８もナット１２とともに回転しようとして、第１のねじ山１０の前述した傾きＲａによって、図５に示すように、第１のねじ部８がロアカバー２の底壁５内から抜け出る。こうして、第２のねじ部９に螺合したナット１２を予め定められた所定のトルクを越えるトルクで回転することで、ボルト７をロアカバー２から分離することができる。なお、前述した所定のトルクとは、ロアカバー２をパネル３に固定するために、ナット１２を回転する時のトルクである。
【００３４】
本実施形態によれば、第１のねじ部８の第１のねじ山１０と第２のねじ部９の第２のねじ山１１とが、軸芯Ｐに対して互いに逆向きに傾いているので、第２のねじ部９にナット１２などを完全に締めた後に、該ナット１２などを更に締める方向に回転すると、このナット１２とともにねじ部８，９即ちボルト７全体が回転しようとする。すると、第１のねじ山１０によって、第１のねじ部８がロアカバー２内から抜け出ようとする方向にボルト７が回転する。このように、第２のねじ部９にナット１２を締めて、更に該ナット１２を締め付ける方向に回転することで、第１のねじ部８の第１のねじ山１０がボルト７をロアカバー２の底壁５外に押し出そうとする。したがって、第２のねじ部９にナット１２などを完全に締めた後に該ナット１２などを更に締める方向に回転することで、容易にロアカバー２からボルト７を分離することができる。
【００３５】
第１のねじ部８と第２のねじ部９とが同軸であるので、第１のねじ部８と第２のねじ部９とが確実に一体的に回転する。このため、第２のねじ部９にナット１２などを完全に締めた後に、該ナット１２などを更に締める方向に回転すると、第１のねじ部８がロアカバー２の底壁５内から確実に抜け出ようとする方向に回転する。したがって、第２のねじ部９にナット１２などを完全に締めた後に該ナット１２などを更に締める方向に回転することで、ボルト７をロアカバー２の底壁５から確実に分離することができる。
【００３６】
次に、本発明の第２の実施形態を図６乃至図８に基づいて説明する。なお、前述した第１の実施形態と同一部分には、同一符号を付して説明を省略する。本実施形態では、図６に示すように、第２のねじ部９の第１のねじ部８寄りの基端部９ｂが、ロアカバー２の底壁５内に埋設されている。
【００３７】
本実施形態においても、前述した第１の実施形態と同様に、ボルト７の第２のねじ部９にナット１２を螺合させて、さらに、図７に示すように、ナット１２を、第２のねじ部９に締め付ける方向Ｒに回転させる。すると、該ナット１２が底壁５に密着して、該ナット１２が軸芯Ｐに沿って更に移動できないため、該ナット１２とともにボルト７が回転しようとする。すると、勿論、第１のねじ部８もナット１２とともに回転しようとして、第１のねじ山１０の前述した傾きＲａによって、図８に示すように、底壁５のナット１２と第１のねじ部８との間に挟まれた箇所が他の箇所から破断して、第１のねじ部８がロアカバー２の底壁５内から抜け出る。こうして、第２のねじ部９に螺合したナット１２を予め定められた所定のトルクを越えるトルクで回転することで、ボルト７をロアカバー２から分離する。
【００３８】
本実施形態によれば、前述した第１の実施形態と同様に、第２のねじ部９にナット１２などを完全に締めた後に該ナット１２などを更に締める方向に回転することで、容易にロアカバー２からボルト７を分離することができる。また、第２のねじ部９の第１のねじ部８寄りの基端部９ｂもロアカバー２の底壁５内に埋設されているので、第２のねじ部９に螺合したナット１２などが締め付けられる方向にボルト７が不意に回転しようとしても、第１のねじ部８がロアカバー２の底壁５内で回転しにくくなっている。したがって、ボルト７がロアカバー２の底壁５から不意に分離することを防止できる。
【００３９】
さらに、第１のねじ部８の外径より第２のねじ部９の外径が小さいので、第１のねじ部８と第２のねじ部９に螺合したナット１２との間にロアカバー２の底壁５の一部が位置付けられている（挟まれている）。このため、第２のねじ部９にナット１２を完全に締め付けた後に、該ナット１２を不意に締め付ける方向に回転しても、ボルト７が不意に回転することを防止して、該ボルト７がロアカバー２から不意に分離することを確実に防止できる。
【００４０】
前述した実施形態では、第２のねじ部９の外径を第１のねじ部８の外径より小さくしている。しかしながら、本発明では、第２のねじ部９の外径を第１のねじ部８の外径より大きくしても良く、等しくしても良い。要するに、本発明では、第１のねじ山１０の軸芯Ｐに対する傾きＲａと第２のねじ山１１の軸芯Ｐに対する傾きＲｂとを互いに逆向きにすれば良い。
【００４１】
また、前述した実施形態では、第２のねじ部９の基端部９ｂをロアカバー２の底壁５内に埋設しなかったり埋設したりしている。要するに、本発明では、第２のねじ部９の少なくとも先端部９ａを露出させて、少なくとも第１のねじ部８の一部をロアカバー２の底壁５内に埋設すれば良い。
【００４２】
さらに、前述した実施形態では、固定構造１がロアカバー２をパネル３に固定している。しかしながら、本発明では、ロアカバー２に限らず種々の物品をパネル３に限らず種々の物品に固定しても良いことは勿論である。
【００４３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４４】
【図１】本発明の第１の実施形態に係る物品の固定構造の分解斜視図である。
【図２】図１に示された物品の固定構造のボルトの斜視図である。
【図３】図１中のＩＩＩ−ＩＩＩ線に沿う断面図である。
【図４】図３に示された物品の固定構造のボルトの第２のねじ部にナットを締め付けた状態を示す断面図である。
【図５】図４に示されたナットを更に締め付ける方向に回転してボルトをロアカバーから引き抜いた状態を示す断面図である。
【図６】本発明の第２の実施形態に係る物品の固定構造の要部の断面図である。
【図７】図６に示された物品の固定構造のボルトの第２のねじ部にナットを締め付けた状態を示す断面図である。
【図８】図７に示されたナットを更に締め付ける方向に回転してボルトをロアカバーから引き抜いた状態を示す断面図である。
【符号の説明】
【００４５】
１  物品の固定構造
２  ロアカバー（第１の物品）
３  パネル（第２の物品）
７  ボルト
８  第１のねじ部
９  第２のねじ部
９ａ  先端部
９ｂ  基端部
１０  第１のねじ山
１１  第２のねじ山
Ｐ  軸芯
Ｒａ  第１のねじ山の軸芯に対する傾き
Ｒｂ  第２のねじ山の軸芯に対する傾き
【図１】
2007189804.tif 000003
【図２】
2007189804.tif 000004
【図３】
2007189804.tif 000005
【図４】
2007189804.tif 000006
【図５】
2007189804.tif 000007
【図６】
2007189804.tif 000008
【図７】
2007189804.tif 000009
【図８】
2007189804.tif 000010